(57)【要約】【課題】ノズル先端内部に液状内容物の固まりが付着している状態で液状内容物を取り出そうとしても液状内容物は異常な方向に飛散するようなことがなく、掌で受け取り易くした液体抽出用ノズルを提供する。【解決手段】ノズル７の水平部の抽出路７ａの先端側に液状内容物を真下に向いて抽出させるための抽出口９を一体に備えるとともに、この抽出口９を取り囲み下端開口が抽出口９よりも下方に位置するように真下に向くフード１０を一体に備えている。【選択図】    図３
2007061724.tif 000002
【特許請求の範囲】
【請求項１】
ノズルの水平部の抽出路の先端側に液状内容物を真下に向いて抽出させるための抽出口を一体に備えるとともに、この抽出口を取り囲み下端開口が抽出口よりも下方に位置するように真下に向くフードを一体に備えていることを特徴とする液体抽出用ノズル。
【請求項２】
ノズルの水平部の抽出路の先端を抽出口の位置よりも先端側に伸ばしてなることを特徴とする請求項１記載の液体抽出用ノズル。
【発明の詳細な説明】
【技術分野】
【０００１】
本発明は、例えば消毒用速乾性アルコールや液体石鹸などの液状内容物を取り出すために液状内容物を収納する卓上型容器あるいは据置き型抽出装置などに取り付けられる液体抽出用ノズルに関するものである。
【背景技術】
【０００２】
従来のこの種、液状内容物を取り出すために卓上型容器の先端取り出し部の液体抽出用ノズルの形としては例えば特許文献１に開示されている液体取り出し用ポンプ部材に備えているような先端が約５０度の角度で下向きに傾斜するノズルが知られている。
【特許文献１】特開平９−７７１１４号公報
【発明の開示】
【発明が解決しようとする課題】
【０００３】
上記特許文献１に開示されているノズルは先端が約５０度の角度で下向きに傾斜させており、かかる構成によりノズル先端から吐出する液体が掌に対し当たりやすくし、またノズル先端内部での液状内容物の固まりを防止しようとするものであるが、粘性の高い液状内容物を取り出す場合、ノズルは先端が約５０度の角度で下向きに傾斜していても９０度の角度で真下に向いていても粘性の高い液状内容物の取り出し後、時間が空くとノズル先端内部に残存する液状内容物は固まることになり、その後で液状内容物を取り出す際、ノズル先端内部の固まった液状内容物は押し出され、その際に液状内容物は異常な方向に飛散して目に入ったり身体に付着したり、周辺部分を汚すなどの問題があった。
【０００４】
本発明の目的は、このような課題を解決するものであり、ノズル先端内部に液状内容物の固まりが付着している状態で液状内容物を取り出そうとしても液状内容物は異常な方向に飛散するようなことがなく、掌で受け取り易くした液体抽出用ノズルを提供することにある。
【課題を解決するための手段】
【０００５】
本発明の請求項１に記載の液体抽出用ノズルは、ノズルの水平部の抽出路の先端側に液状内容物を真下に向いて抽出させるための抽出口を一体に備えるとともに、この抽出口を取り囲み下端開口が抽出口よりも下方に位置するように真下に向くフードを一体に備えていることを特徴とする。
【０００６】
請求項２に記載の液体抽出用ノズルは、ノズルの水平部の抽出路の先端を抽出口の位置よりも先端側に伸ばしてなることを特徴とする。
【発明の効果】
【０００７】
以上のように、本発明の液体抽出用ノズルは、ノズルの水平部の抽出路の先端側に液状内容物を真下に向いて抽出させるための抽出口を一体に備えるとともに、この抽出口を取り囲み下端開口が抽出口よりも下方に位置するように真下に向くフードを一体に備えていることにより、真下に向く抽出口の内部に蓄積された液状内容物の固まりが付着していて抽出口から液状内容物が斜めに飛散しても、フードの内面に当たり、液状内容物を真下に導くことができ、掌で受け取り易くなるとともに、液状内容物が目に入ったり身体に付着することを防止できる。また、ノズルの水平部の抽出路の先端を抽出口の位置よりも先端側に伸ばしてあることにより、液状内容物の取り出し時において液状内容物を抽出路の先端奥壁に当てて液状内容物の抽出速度を落とし、抽出口に導き、液状内容物をゆるやかな速度で取り出すことができる。
【発明を実施するための最良の形態】
【０００８】
以下、本発明の実施の形態を、図面に基づき具体的に説明する。
先ず、図１〜図４に示す第１の実施の形態について説明すると、１は粘性の高い液状内容物、例えば速乾性を得るためにエタノールを含有させた粘性の高い消毒用アルコールや粘性の高い液体石鹸などを収納する卓上型の液状内容物収納容器で、この液状内容物収納容器１の上端開口部２にはポンプ部材３が取り付けられる。ポンプ部材３は前記上端開口部２より液状内容物収納容器１の内部に差し込まれる液状内容物吸い込み用チューブ４を備えるとともにこのチューブ４の上側において前記上端開口部２に外側より螺合して上端開口部２に装着されるキャップ５を備えている。さらに、ポンプ部材３にはキャップ５の上方に上下動可能にばねにより上方に付勢された操作部６を備え、この操作部６には前記チューブ４により吸い上げられた液状内容物を抽出させるためのノズル７がほぼ水平に突出するように設けられている。
【０００９】
前記ノズル７は前記操作部６から水平に突出する筒部８に一端側が外嵌して操作部６に結合され、またこのノズル７の他端側、つまり先端側には液状内容物を真下に向いて抽出させるための抽出口９を一体に備えるとともに、この抽出口９を取り囲み下端開口が抽出口９よりも下方に位置するように真下に向くフード１０を一体に備えている。このフード１０は抽出口９の内部に蓄積された液状内容物の固まりが付着していることにより抽出口９から液状内容物が斜めに飛散しても、フード１０内面に当てて液状内容物を真下に導くためのものである。なお、抽出口９の内径はノズル７の水平部の抽出路７ａの内径よりも大きく作られており、またフード１０の内径は抽出口９の内径よりもさらに大きく作られている。さらに詳しくは、フード１０の内径は抽出口９の内径の１．２倍〜５倍が好ましい。ところで、この実施の形態では真下に向く抽出口９はノズル７の水平部の抽出路７ａの先端から直接折れ曲がるように作られている。
【００１０】
さらに、前記液状内容物収納容器１およびポンプ部材３のばねを除く部分およびノズル７は合成樹脂により作られているものである。
以上述べた実施の形態の下向きフード１０付きのノズル７を備えることにより、抽出口９の内部に蓄積された液状内容物の固まりが付着していて抽出口９から液状内容物が斜めに飛散しても、フード１０の内面に当たり、液状内容物を真下に導くことができ、掌で受け取り易くなる。
【００１１】
次に、図５および図６に示す第２の実施の形態について説明すると、この実施の形態ではノズル７の水平部の抽出路７ａの先端を抽出口９の位置よりも他端側（先端側）に伸ばしており、液状内容物の取り出し時において液状内容物を抽出路７ａの先端奥壁に当てて液状内容物の抽出速度を落とし、抽出口９に導き、液状内容物をゆるやかな速度で取り出そうとするものである。他の構成は前記第１の実施の形態の構成と同様であり、その詳細説明は省略する。
【００１２】
ところで、以上述べた２つの実施の形態ではノズル７は卓上型の液状内容物収納容器１に取り付けられるようになっているが、据置き型抽出装置などの液状内容物取り出し部に取り付けて用いることも可能である。
【図面の簡単な説明】
【００１３】
【図１】本発明の第１の実施の形態における液状内容物収納容器とポンプ部材とノズルの分解図である。
【図２】同ノズルの斜視図である。
【図３】同ノズルの縦断面図である。
【図４】同ノズルを取り付けたポンプ部材を液状内容物収納容器に装着し液状内容物を取り出す状態を示す要部正面図である。
【図５】本発明の第２の実施の形態におけるノズルの正面図である。
【図６】同ノズルの縦断面図である。
【符号の説明】
【００１４】
１      液状内容物収納容器
２      上端開口部
３      ポンプ部材
４      液状内容物吸い込み用チューブ
５      キャップ
６      操作部
７      ノズル
７ａ    抽出路
９      抽出口
１０      フード
【図１】
2007061724.tif 000003
【図２】
2007061724.tif 000004
【図３】
2007061724.tif 000005
【図４】
2007061724.tif 000006
【図５】
2007061724.tif 000007
【図６】
2007061724.tif 000008